【手続補正書】
【提出日】平成28年7月5日(2016.7.5)
【手続補正１】
【補正対象書類名】特許請求の範囲
【補正対象項目名】全文
【補正方法】変更
【補正の内容】
【特許請求の範囲】
【請求項１】
緊急の助けを必要としている人への心肺蘇生（ＣＰＲ）処置を管理するシステムであって、
患者の電子モニタと、
１つ又は複数のセンサからの入力を受信するように構成されている前記モニタ上のセンサインタフェースと、
前記１つ又は複数のセンサからの前記入力を用いて質のパラメータを特定するとともに、該質のパラメータが所定の基準を満たす場合に、ＣＰＲを行っている救助者を交代するよう信号を生成するようにプログラミングされている、前記患者の電子モニタ内のＣＰＲモニタと、
前記ＣＰＲモニタと通信しているとともに、該ＣＰＲモニタからの前記生成された信号の受信に応じて、前記患者の電子モニタを用いて、救助者に、救助者を交代するよう指示を提供するように構成されている出力インタフェースと
を備える、システム。
【請求項２】
前記患者の電子モニタは、患者の体外式除細動器の一部である、請求項１に記載のシステム。
【請求項３】
前記出力インタフェースは、前記患者の体外式除細動器への接続のために除細動器の電極にも取り付けられているコネクタに取り付けられている電子ディスプレイを含む、請求項２に記載のシステム。
【請求項４】
前記電子ディスプレイは、前記除細動器の電極のうちの一方に取り付けられ、前記電極が緊急の助けを必要としている人に適切に配置され、救助者の手がＣＰＲ胸部圧迫を行うように配置されると、前記救助者の手に隣接して載るように配置される、請求項３に記載のシステム。
【請求項５】
前記ＣＰＲモニタは、実行されると、質のパラメータを特定し、該質のパラメータが所定の基準を満たす場合にＣＰＲを行う救助者を交代するよう信号を生成するプロセスを行うという命令を記憶する電子メモリに接続されているマイクロプロセッサを含む、請求項１から４のいずれか１つに記載のシステム。
【請求項６】
緊急の助けを必要としている前記人に対して行われる胸部圧迫の質のレベルを感知するように構成されているセンサを更に含む、請求項１から５のいずれか１つに記載のシステム。
【請求項７】
前記ＣＰＲモニタは、前記質のパラメータを特定すること、前記質のパラメータが救助者を交代する必要性を示しているか否かを判断すること、及び、前記質のパラメータが必要性を示す場合に救助者を交代するよう信号を生成することの動作を周期的に繰り返すように更にプログラミングされている、請求項１から６のいずれか１つに記載のシステム。
【請求項８】
前記質のパラメータは、緊急の助けを必要としている前記人に対して行われる胸部圧迫の胸部圧迫深さ、圧迫速さ又は双方を反映する、請求項７に記載のシステム。
【請求項９】
前記質のパラメータを改善する方法を示すフィードバックを救助者に提供するように構成されているディスプレイをさらに備える、請求項１から８のいずれか１つに記載のシステム。
【請求項１０】
前記出力インタフェースは、緊急の助けを必要としている前記人の救助者に、前記質のパラメータに関するデータを通信するように構成されている無線送信機を含む、請求項１から９のいずれか１つに記載のシステム。
【請求項１１】
前記出力インタフェースは、第１の救助者が用いる第１のディスプレイデバイスと通信するように構成されており、前記システムは、第２の救助者が用いる第２のディスプレイデバイスと通信するように構成されている第２のインタフェースを更に備え、前記第２のディスプレイデバイスは、前記第１のディスプレイデバイスに表示されるＣＰＲ構成要素についての情報とは異なるＣＰＲ構成要素についての情報を通信する、請求項１から１０のいずれか１つに記載のシステム。
【請求項１２】
緊急の助けを必要としている人への心肺蘇生（ＣＰＲ）処置を管理する方法であって、
電子医療デバイスを用いて、ユーザによって前記人に行われているＣＰＲ構成要素の質のレベルを示すパラメータを監視すること、
前記電子医療デバイスを用いて、前記パラメータが、行われているＣＰＲの前記質のレベルが不十分であることを示すと判断すること、
前記人の１人又は複数人の救助者に、異なる人が前記ＣＰＲ構成要素を行うべきであるという可聴式、視覚的又は触覚による指示を提供すること
を含む、方法。
【請求項１３】
複数の異なる人々が前記ＣＰＲ構成要素を行うように命令されている間に、監視、判断及び提供の動作を周期的に繰り返すことを更に含む、請求項１２に記載の方法。
【請求項１４】
前記ＣＰＲ構成要素は胸部圧迫を含み、前記パラメータは、圧迫の深さ、圧迫の速さ又は双方を含む、請求項１２または１３に記載の方法。
【請求項１５】
胸部圧迫の速さ及び胸部圧迫の深さの組み合わせから胸部圧迫の質のスコアを生成すること、並びに、所定の許容可能な範囲外に低下する前記質のスコアに応じて前記指示を提供することを更に含む、請求項１４に記載の方法。
【請求項１６】
前記電子医療デバイスを用いた目的とする胸部圧迫の深さについての情報を提供することを更に含む、請求項１４または１５に記載の方法。
【請求項１７】
前記電子医療デバイスのグラフィカル表示スクリーンに、複数回の胸部圧迫のうちの１回又は複数回の深さに関する値の指示、及び目的とする圧迫の深さの指示を表示することによって、前記ユーザに定期的にフィードバックを提供することを更に含む、請求項１４から１６のいずれか１つに記載の方法。
【請求項１８】
胸部圧迫について前記ユーザに前記定期的にフィードバックを提供することは、除細動器のグラフィック表示スクリーンに、前記複数回の胸部圧迫のうちの１回又は複数回の前記深さのグラフィック提示、及び前記目的とする圧迫の深さの指示を表示することを更に含む、請求項１７に記載の方法。
【請求項１９】
胸部圧迫について前記ユーザに前記定期的なフィードバックを提供することは、除細動器のグラフィカル表示スクリーンに、前記目的とする圧迫の深さを提示する視覚的な印を有するグラフ、及び、前記目的とする圧迫の深さを提示する前記視覚的な印の上又は下に表示される、前記複数回の胸部圧迫のうちの１回又は複数回の前記深さに関する値を提示する視覚的な印を表示することを更に含む、請求項１７に記載の方法。
【請求項２０】
緊急の助けを必要としている前記人の胸部に位置付けられる第１の電子ディスプレイに、前記救助者のうちの１人にＣＰＲを行うための命令を提供する情報を表示することを更に含む、請求項１２から１９のいずれか１つに記載の方法。
【請求項２１】
前記方法は、第２の電子ディスプレイに、かつ別の前記救助者に、該救助者のうちの１人にＣＰＲを行うための命令を提供する情報を表示することを更に含み、前記第１の電子ディスプレイに提供される前記情報は、前記第２の電子ディスプレイに提供される前記情報とは異なる、請求項２０に記載の方法。
【請求項２２】
前記電子医療デバイスは、緊急の助けを必要としている前記人の除細動電極に接続される、請求項１２から２１のいずれか１つに記載の方法。
【請求項２３】
前記１人又は複数人の救助者のうちの１人に、患者に与えられる胸部圧迫の質についての指示を提供することを更に含み、前記胸部圧迫の質についての前記指示は、異なる人が前記ＣＰＲ構成要素を行うべきであるという前記指示とは異なる、請求項１２から２２のいずれか１つに記載の方法。
【請求項２４】
前記救助者が行っているＣＰＲのプロトコルを特定すること、及び、前記プロトコルを規定する記憶されているパラメータに合わせて、異なる人が前記ＣＰＲ構成要素を行うべきであるという前記指示の前記提供を調整することを更に含み、前記特定されたプロトコルは、前記電子医療デバイスに記憶されている複数のプロトコルの中から選択される、請求項１２から２３のいずれか１つに記載の方法。